(57)【要約】【課題】階調パターンのサイズを小さくしても下地からの影響を受けにくくし、階調補正の精度を維持する。【解決手段】画像形成装置は、たとえば、パターン生成手段、画像処理手段、画像記録手段及び補正手段を備える。パターン生成手段は、それぞれ階調が異なる複数の階調パッチを含むテストパターンを形成するためのテストパターン信号を生成する。画像処理手段は、階調特性に関する複数の画像処理モードのうち、所定の画像処理モードにしたがってテストパターン信号に画像処理を実行する。画像記録手段は、画像処理手段で処理されたテストパターン信号にしたがって記録媒体上にテストパターンを記録する。補正手段は、記録媒体上に記録されたテストパターンの読み取り結果に基づいて画像処理モードを補正する。とりわけ、画像記録手段は、テストパターンの外周に背景パターンを記録する。【選択図】図１１Ａ
2010085744.tif 000002
【特許請求の範囲】
【請求項１】
画像形成装置であって、
それぞれ階調が異なる複数の階調パッチを含むテストパターンを形成するためのテストパターン信号を生成するパターン生成手段と、
階調特性に関する複数の画像処理モードのうち、所定の画像処理モードにしたがって前記テストパターン信号に画像処理を適用する画像処理手段と、
前記画像処理手段で画像処理された前記テストパターン信号にしたがって記録媒体上に前記テストパターンを記録する画像記録手段と、
前記記録媒体上に記録された前記テストパターンの読み取り結果に基づいて前記画像処理モードを補正する補正手段と
を備え、
前記画像記録手段は、前記テストパターンの外周に背景パターンを記録することを特徴とする画像形成装置。
【請求項２】
前記背景パターンの濃度は、８％以上の均一の濃度であることを特徴とする請求項１に記載の画像形成装置。
【請求項３】
前記複数の階調パッチは、前記画像形成装置が用いる複数の現像剤色のそれぞれについて用意されていることを特徴とする請求項１に記載の画像形成装置。
【請求項４】
前記画像記録手段は、前記記録媒体上に複数のテストパターンを記録するとともに、各テストパターンごとに前記背景パターンを記録することを特徴とする請求項１ないし３のいずれか１項に記載の画像形成装置。
【請求項５】
前記画像記録手段は、前記複数の階調パッチの各外周に前記背景パターンを記録することを特徴とする請求項１ないし４のいずれか１項に記載の画像形成装置。
【請求項６】
前記画像記録手段は、前記複数の階調パッチのうち相対的に高濃度である１つ以上の階調パッチにのみ前記背景パターンを記録することを特徴とする請求項１ないし４のいずれか１項に記載の画像形成装置。
【請求項７】
前記画像処理手段は、前記複数のテストパターンに対してそれぞれ異なる画像処理モードを適用して画像処理を実行することを特徴とする請求項４に記載の画像形成装置。
【請求項８】
前記画像処理手段は、前記複数のテストパターンの各外周に記録される各背景パターンに対して同一の画像処理モードを適用して画像処理を実行することを特徴とする請求項７に記載の画像形成装置。
【請求項９】
前記画像処理手段は、前回補正された画像処理モードを前記背景パターンに適用することを特徴とする請求項１ないし８のいずれか１項に記載の画像形成装置。
【請求項１０】
前記画像記録手段は、複数の現像剤色を使用して前記背景パターンを記録することを特徴とする請求項１ないし９のいずれか１項に記載の画像形成装置。
【請求項１１】
画像形成装置における階調特性の補正方法であって、
それぞれ階調が異なる複数の階調パッチを含むテストパターンを形成するためのテストパターン信号を生成するステップと、
階調特性に関する複数の画像処理モードのうち、所定の画像処理モードにしたがって前記テストパターン信号に画像処理を適用するステップと、
前記画像処理を施された前記テストパターン信号にしたがって記録媒体上に前記テストパターンを記録するステップと、
前記記録媒体上に記録された前記テストパターンを読み取るステップと、
前記テストパターンの読み取り結果に基づいて前記画像処理モードを補正するステップと
を含み、
前記テストパターンを記録するステップにおいて、該テストパターンの外周に背景パターンを記録することを特徴とする階調特性の補正方法。
【発明の詳細な説明】
【技術分野】
【０００１】
本発明は、電子写真方式や静電記録方式の画像形成装置に関し、とりわけ、階調特性を補正する技術に関する。
【背景技術】
【０００２】
近年、オフィスやコピーショップにおいてカラー複合機やカラープリンタが設置されるケースが増加している。これらのカラー画像形成装置では、耐久や環境変動によって出力画像の品質が不安定となりやすい。そのため、テストパターンを記録媒体上に形成し、それを読み取ることで、画像形成装置の階調特性を補正することが望ましい。
【０００３】
ところで、複数の異なる画像処理モードを保持し、出力物の内容に応じた画像処理モードを選択して適用するカラー画像形成装置が存在する。画像処理モードは、たとえば、ガンマ特性を補正するためのγルックアップテーブル（γＬＵＴ）などである。しかし、画像形成装置の特性変動への寄与率は画像処理モードごとに異なる。そのため、階調補正を画像処理モードごとに実行する必要がある。すなわち、テストパターンを画像処理モードごとに生成してそれを読み取ることにより、画像処理モードごとに最適なγＬＵＴを作成することが望ましい。
【０００４】
従来、こうしたフルカラー複合機は高価で大型の装置がほとんどであったが、近年は技術の発展によって安価で小型の装置が普及し始めている。特に、ＳＯＨＯやパーソナルユースにおいては小サイズの画像の出力に特化した小型のフルカラー複合機が多く普及しつつある。
【発明の開示】
【発明が解決しようとする課題】
【０００５】
小型で安価なフルカラー複合機においても高画質化及び高安定化を図っていくことは必須となりつつある。しかし、画像形成装置の特性変動に対して従来と同様の階調補正を行うには、装置が小型であるが故の特有の課題があることがわかってきた。たとえば、小型機の出力紙サイズは、大型機の出力紙サイズよりも小さいため、従来よりも階調パターンを小サイズ化するか、階調パターンの数を削減する必要がある。
【０００６】
また、大型機では、複数の画像処理モードごとのテストパターンをそれぞれ異なる出力紙に形成していた。しかし、ＳＯＨＯやパーソナルユース向けの小型機においてはできるかぎりユーザの手を煩わせることなく階調補正を行うことが要求される。すなわち、各画像処理モードごとのテストパターンを１枚の出力紙に納めたいという要望がある。これを実現するには、テストパターンを構成する階調パッチを小サイズ化したり、階調パッチの数を減らしたりすることが望ましい。
【０００７】
しかし、階調パッチの数を減らせば、作成されるγＬＵＴの精度が悪化するという弊害がある。特に低濃度領域や高濃度領域における階調補正の精度が著しく低下する恐れがある。なぜなら、これらの領域は、耐久や環境に起因した階調特性の変動の影響が顕著に表れる領域だからである。よって、階調パッチの数を減らすことは好ましくない。
【０００８】
そこで、階調パッチの数を減らさずに、階調パッチのサイズを小さくすることが考えられる。しかし、階調パッチのサイズを小さくすると、階調パッチを読み取る画像読取装置の読み取り精度が低下するという弊害がある。なぜなら、階調パッチの面積が小さくなると、今度は、階調パッチの周囲に存在する出力紙の表面（いわゆる下地）から影響を受けやすくなってしまう。よって、階調パッチのサイズを小さくするためには、下地からの影響を低減する手法が必要となる。
【０００９】
そこで、本発明は、このような課題および他の課題のうち、少なくとも１つを解決することを目的とする。たとえば、本発明は、階調パターンのサイズを小さくしても下地からの影響を受けにくくし、階調補正の精度を維持することを目的とする。なお、他の課題については明細書の全体を通して理解できよう。
【課題を解決するための手段】
【００１０】
本発明の画像形成装置は、たとえば、パターン生成手段、画像処理手段、画像記録手段及び補正手段を備える。パターン生成手段は、それぞれ階調が異なる複数の階調パッチを含むテストパターンを形成するためのテストパターン信号を生成する。画像処理手段は、階調特性に関する複数の画像処理モードのうち、所定の画像処理モードにしたがってテストパターン信号に画像処理を実行する。画像記録手段は、画像処理手段で処理されたテストパターン信号にしたがって記録媒体上にテストパターンを記録する。補正手段は、記録媒体上に記録されたテストパターンの読み取り結果に基づいて画像処理モードを補正する。とりわけ、画像記録手段は、テストパターンの外周に背景パターンを記録する。
【発明の効果】
【００１１】
本発明によれば、テストパターンの外周に背景パターンを記録するようにしたので、階調パッチのサイズを小さくしても下地からの影響を受けにくくなる。その結果、階調補正の精度の低下を抑制できるため、長期にわたり安定した画像を提供できるようになる。また、階調パッチの小型化によって、複数のテストパターンを１枚の記録媒体上に形成できるようになるため、ユーザの負担も軽減されよう。
【発明を実施するための最良の形態】
【００１２】
以下に本発明の一実施形態を示す。以下で説明される個別の実施形態は、本発明の上位概念、中位概念および下位概念など種々の概念を理解するために役立つであろう。また、本発明の技術的範囲は、特許請求の範囲によって確定されるのであって、以下の個別の実施形態によって限定されるわけではない。
【００１３】
［第１実施形態］
図１は、実施形態における画像形成装置１００と画像読取装置１０１との断面図である。なお、実施形態において、画像形成装置１００と画像読取装置１０１とは複写機又は複合機を形成している。なお、画像形成装置１００と画像読取装置１０１とがホストコンピュータを介して接続されてもよい。
【００１４】
画像読取装置１０１は、イメージリーダやイメージスキャナと呼ばれることもある。原稿台ガラス１０２上に載置された原稿Ｇは、光源によって光が照射され、原稿からの反射光が光学系を介してＣＣＤセンサ１０５に結像する。ＣＣＤセンサ１０５は、たとえば、３列のＣＣＤラインセンサを備えている。３列のＣＣＤラインセンサのそれぞれは、レッド、グリーン、ブルーのいずれか１つに対応している。原稿台ガラス１０２上には、ＣＣＤセンサ１０５の白レベルを決定するとともに、ＣＣＤセンサ１０５のスラスト方向のシェーディング補正を行うための基準白色版１０６が配置されている。ＣＣＤセンサ１０５により得られた画像信号は、画像処理部１０８に送られ画像処理される。
【００１５】
画像形成装置１００は、記録媒体上に画像を記録するプリンタエンジンを備えている。画像形成装置１００は、タンデム式の画像形成装置であるため、各現像色（Ｙ，Ｍ，Ｃ，Ｋ）ごとの画像形成ステーションが並列に配置されている。各画像形成ステーションは、ポリゴンミラー１を備えた露光装置２、現像装置３、感光ドラム４、帯電装置８、クリーニング装置９により構成されている。画像形成ステーションは、画像処理手段で処理されたテストパターン信号にしたがって記録媒体上にテストパターンを記録する画像記録手段の一例である。
【００１６】
帯電装置８は、たとえば、ローラ帯電器であり、バイアスを印加することで感光ドラム４の表面を一様に負極性に帯電させる。画像処理部１０８から出力された画像信号は、露光装置２のレーザドライバ及びレーザ光源を介してレーザ光に変換される。そのレーザ光は、ポリゴンミラー１及びレンズ、ミラーなどの光学系により反射され、一様に帯電した感光ドラム４に照射される。レーザ光の走査により潜像が形成される。なお、感光ドラム４は、図中に示す矢印Ａの方向に回転する。画像処理部１０８は、階調特性に関する複数の画像処理モードのうち、所定の画像処理モードにしたがってテストパターン信号に画像処理を実行する画像処理手段の一例である。
【００１７】
現像装置３は、現像剤（例：トナー）を収納しており、感光ドラム４に形成された潜像を現像して現像剤像（トナー像）を形成する。この可視像化されたトナー像は、感光ドラム４に圧接された中間転写部５に一次転写される。一次転写工程において中間転写体５に転写されずに感光ドラム４上に残ったトナーは、クリーニング装置９により掻き取られ、廃トナー容器（不図示）に回収される。このようなプロセスは、現像剤色ごとに実行される。その結果、中間転写体５の上にカラートナー像が形成される。
【００１８】
その後、中間転写体５上に形成された未定着のカラートナー像は矢印Ｄの方向に移動し、記録媒体６上に二次転写される。記録媒体６上の未定着のカラートナー像は定着器７により定着処理される。なお、記録媒体は、記録材、用紙、シート、転写材、転写紙と呼ばれることもある。
【００１９】
［階調補正］
一般に、画像形成装置ではガンマ補正が実行される。ガンマ補正は、画像形成装置１００の濃度特性が理想的な特性となるように画像データ（画像信号）を変換する処理である。なお、ガンマ補正では、予め用意されたγＬＵＴが使用される。
【００２０】
図２は、ガンマ補正の概念を説明するための図である。横軸は、γＬＵＴへ入力信号を示し、縦軸は、γＬＵＴからの出力信号を示す。一点鎖線２０１は、ガンマ補正が適用されていないオリジナルの階調特性を示している。破線２０２は、理想的な階調特性（ターゲット階調特性）を示している。実線２０３は、γＬＵＴの特性を示す。γＬＵＴを適用することで、オリジナルの階調特性はターゲット階調特性に変換される。なお、画像形成装置の濃度特性は、耐久や環境に応じて変動することが知られている。よって、濃度特性の変動に応じてγＬＵＴを補正する必要がある。
【００２１】
図３は、記録媒体上に形成された一般的なテストパターンの一例を示した図である。記録媒体６上に形成されるテストパターン３２０は、ＹＭＣＫのそれぞれについて複数の階調パッチが形成されている。ブラッグ階調パッチ群３２１は、ブラックについてそれぞれ階調の異なる複数の階調パッチを含む。イエロー階調パッチ群３２２は、イエローについてそれぞれ階調の異なる複数の階調パッチを含む。マゼンタ階調パッチ群３２３は、マゼンタについてそれぞれ階調の異なる複数の階調パッチを含む。シアン階調パッチ群３２４は、シアンについてそれぞれ階調の異なる複数の階調パッチを含む。この例では、１つの群には、６４個の階調パッチが存在する。
【００２２】
濃度特性は、画像形成ステーションごと（現像剤色ごと）に異なるため、テストパターン３２０には、現像材色ごとの階調パッチが存在する。この各パッチを形成したときに使用されたレーザ出力と、各パッチを画像読取装置１０１により読み取ったときの輝度値（濃度値）との関係から、γＬＵＴが補正される。
【００２３】
ところで、一般には、画像処理モードごとに、テストパターン３２０を形成し、階調補正が実行される。すなわち、１０個の画像処理モードが存在すれば、１０枚の記録媒体が必要となる。しかし、ＳＯＨＯや一般家庭のユーザにとっては、多数枚の記録媒体を出力し、階調補正を行う作業は複雑かつ煩雑であろう。
【００２４】
図４Ａは、実施形態における複数のテストパターンを記録された１枚の記録媒体を示した図である。第１のテストパターン４０１は、第１の画像処理モードが適用されて記録されたテストパターンである。第２のテストパターン４０２は、第１の画像処理モードとは異なる第２の画像処理モードが適用されて記録されたテストパターンである。このように、２つのテストパターンを単一の記録媒体上に形成することで、階調補正作業が約半分になる。
【００２５】
図４Ｂは、実施形態における複数のテストパターンを記録された１枚の記録媒体を示した図である。第１のテストパターン４０１は、第１の画像処理モードが適用されて記録されたテストパターンである。第２のテストパターン４０２は、第１の画像処理モードとは異なる第２の画像処理モードが適用されて記録されたテストパターンである。第３のテストパターン４０３は、第１及び第２の画像処理モードとは異なる第３の画像処理モードが適用されて記録されたテストパターンである。このように、３つのテストパターンを単一の記録媒体上に形成することで、階調補正作業が約１／３になる。
【００２６】
図４Ｃは、実施形態における複数のテストパターンを記録された１枚の記録媒体を示した図である。第１のテストパターン４０１は、第１の画像処理モードが適用されて記録されたテストパターンである。第２のテストパターン４０２は、第１の画像処理モードとは異なる第２の画像処理モードが適用されて記録されたテストパターンである。第３のテストパターン４０３は、第１及び第２の画像処理モードとは異なる第３の画像処理モードが適用されて記録されたテストパターンである。第４のテストパターン４０４は、第１及び第２の画像処理モードとは異なる第４の画像処理モードが適用されて記録されたテストパターンである。このように、４つのテストパターンを単一の記録媒体上に形成することで、階調補正作業が約１／４になる。
【００２７】
しかし、図３に示されたテストパターンのサイズ（面積）と比較し、図４Ａ、図４Ｂ及び図４Ｃに示されたテストパターンのサイズは、数分の１に減少している。そこで、テストパターンのサイズを削減することに伴う影響を説明する。
【００２８】
［小サイズ化の影響］
図５は、パッチサイズを説明するための図である。パッチ５０１のサイズは、従来サイズＰＳ１（ＰＳ１＝３７０画素×３００画素）である。パッチ５０２のサイズは、ＰＳ２（ＰＳ２＝３００画素×２５６画素）である。パッチ５０３のサイズは、ＰＳ３（ＰＳ３＝２７０画素×２００画素）である。パッチ５０４のサイズは、ＰＳ４（ＰＳ４＝２２０画素×１５０画素）である。すなわち、ＰＳ１は、図３に示された１つの階調パッチのサイズである。ＰＳ２は、図４Ａに示された１つの階調パッチのサイズである。ＰＳ３は、図４Ｂに示された１つの階調パッチのサイズである。ＰＳ４は、図４Ｃに示された１つの階調パッチのサイズである。
【００２９】
図６は、パッチサイズと読み取り輝度値との関係（実験結果）を示す図である。横軸は、パッチサイズを示し、縦軸は、読み取り輝度値を示している。たただし、読み取り輝度値（縦軸）に関しては、パッチ５０１の輝度値によって規格化されている。同様に、横軸に関してもパッチ５０１の面積によって規格化されている。
【００３０】
画像読取装置１０１は、レッド、グリーン、ブルーに対応した３つのＣＣＤセンサを使用しているため、読み取られた輝度値も３つ存在する。ここでは、３つの輝度値の平均値を採用している。
【００３１】
図６によれば、パッチサイズが小さくなるに従って、異なる濃度間の輝度値の差が大きく変動することがわかる。特に、高濃度領域では、パッチサイズの小型化の影響が顕著に現われている。なお、読み取られた輝度値が大きい方へ振れると言うことは、輝度値から変換された濃度が本来よりも低い値に振れることを意味する。よって、この誤った輝度値を用いれば、画像形成装置は、濃度をより濃くする方向へ階調補正を実行してしまう。
【００３２】
パッチサイズを小型化することで問題が生じるのは、画像読取装置で原稿を読み取る際にパッチパターンの周囲に存在する記録媒体の白色下地の影響を受けてしまうからである。
【００３３】
図７は、パッチと読み取り領域との関係を示した図である。図７が示すように、パッチ７０１のサイズが、読み取り領域７０２のサイズに比較して十分に大きければ、パッチ７０１を読み取って得られる輝度値は、下地からの影響を受け難くなる。これは、読み取り領域７０２と下地とが十分に離れているからである。しかし、パッチサイズが小さくなれば、読み取り領域７０２と下地との距離が短くなる。それゆえ、下地からの影響を無視できなくなる。とりわけ、高濃度領域では、下地から反射光によって本来よりも輝度値が上昇してしまう。
【００３４】
図８は、パッチの周囲に背景パターンを記録することを示した図である。上述の各パッチに対して均一濃度で背景パターン８０１が記録される。背景パターン８０１を付与することで、パッチと下地との距離が遠くなるため、下地の影響が削減されると考えられる。
【００３５】
図９は、パッチサイズと読み取り輝度値との関係（実験結果）を示す図である。横軸は、パッチサイズを示し、縦軸は、読み取り輝度値を示している。たただし、読み取り輝度値（縦軸）に関しては、パッチ５０１の輝度値によって規格化されている。同様に、横軸に関してもパッチ５０１の面積によって規格化されている。
【００３６】
図９が示すように、背景パターン８０１を設けることで、各パッチの輝度値が安定したことがわかる。背景パターン８０１の濃度は、濃度の最大値を１００％としたときの８％としている。
【００３７】
図１０Ａは、背景パターンの濃度と輝度値のレベル差との関係（実験結果）を示した図である。ここでは、パッチサイズをＰＳ１としている。横軸は、背景パターンの濃度を示し、縦軸は、８％濃度の輝度値で規格化した読み取り輝度値を示している。
【００３８】
図１０Ｂは、背景パターンの濃度と輝度値のレベル差との関係（実験結果）を示した図である。ここでは、パッチサイズをＰＳ２としている。横軸は、背景パターンの濃度を示し、縦軸は、８％濃度の輝度値で規格化した読み取り輝度値を示している。
【００３９】
図１０Ａと図１０Ｂとからわかるように、背景パターンの濃度が濃くなるに従って下地の影響を受けにくくなることがわかる。
【００４０】
図１１Ａ、図１１Ｂは、実施形態に係るテストパターンの一例を示した図である。上述した実験結果を踏まえて、本実施形態では、階調補正に用いるテストパターン３２０の外周に、均一濃度の背景パターン８０１を配置している。
【００４１】
図１１Ｃは、実施形態に係るテストパターンの一例を示した図である。図１１Ｂと比較すると、図１１Ｃでは、背景パターン８０１に加え、各階調パッチの外周にも背景パターン１１０１が記録されている。
【００４２】
図１１Ｄは、実施形態に係るテストパターンの一例を示した図である。上述したように高濃度領域ほど下地の影響を受けやすいため、本実施形態では、高濃度の階調パッチの外周にのみ背景パターン１１０２が記録されている。
【００４３】
なお、いずれの背景パターンの濃度も均一であることが望ましいが、下地の影響を抑制できるのであれば必ずしも均一でなくてもよい。
【００４４】
図１２は、実施形態に係る画像処理部の一例を示す図である。Ａ／Ｄ変換部３０２は、ＣＣＤセンサ１０５から出力された原稿画像のアナログ輝度信号をデジタル輝度信号に変換する。シェーディング部３０３は、デジタル輝度信号にシェーディング補正を実行する。これは、ＣＣＤセンサ１０５に含まれる各素子の感度にバラツキを補正するために実行される。ＬＯＧ変換部３０４は、シェーディング補正された輝度信号をＬＯＧ変換する。γＬＵＴ部３０５は、ＬＯＧ変換された輝度信号をガンマ補正する。ガンマ補正された輝度信号である画像信号は、露光装置２へ送信される。
【００４５】
パターンジェネレータ３０６は、テストパターンとともに背景パターンを形成するための画像信号（テストパターン信号）を生成する。テストパターンには、シアン、マゼンタ、イエロー、ブラックといった４色分の階調パッチが含まれている。パターンジェネレータ３０６は、それぞれ階調が異なる複数の階調パッチパターンを含むテストパターンを形成するためのテストパターン信号を生成するパターン生成手段の一例である。なお、γＬＵＴ部３０５は、テストパターン信号についても画像処理を実行する。
【００４６】
操作パネル３０７は、操作者の操作入力を受け付けるための入力部と情報を生じするための表示部とを備えている。ＣＰＵ３０８は、画像処理部１０８において制御の中心となるユニットである。メモリ３０９は、ＣＰＵ３０８のワークエリアとなる記憶装置である。
【００４７】
図１３は、実施形態に係る階調補正方法の一例を示したフローチャートである。操作パネル３０７を通じて階調補正の開始指示が入力されると、本フローチャートに係る一連の処理をＣＰＵ３０８が開始する。
【００４８】
ステップＳ１３０１で、ＣＰＵ３０８は、パターンジェネレータ３０６にテストパターンと背景パターンとが組み合わされた画像データを出力するよう指示する。パターンジェネレータ３０６は、当該画像データを生成して、γＬＵＴ部３０５に出力する。
【００４９】
ステップ１３０２で、ＣＰＵ３０８は、画像読取装置１０１を用いて記録媒体上に記録されているテストパターンを読み取る。
【００５０】
図１４は、操作パネルに表示される情報の一例を示した図である。操作パネル３０７には、テストパターンの記録された記録媒体を画像読取装置へ載置するように促すためのメッセージが表示される。操作パネル３０７は、たとえば、タッチパネルであり、表示された読み込み開始ボタンが押圧されると、ＣＰＵ３０８は、読み取りを実行する。ＣＰＵ３０８は、読み取った濃度データをメモリ３０９に記憶する。
【００５１】
ステップＳ１３０３で、ＣＰＵ３０８は、濃度データと、テストパターンを作成する際に使用されたレーザ出力レベルとの関係を求め、この関係をメモリ３０９に格納する。
【００５２】
ステップＳ１３０４で、ＣＰＵ３０８は、テストパターンから得られた関係を理想的な関係に変換するためのガンマルックアップテーブルを生成し、γＬＵＴ部３０５に設定する。
【００５３】
本発明によれば、テストパターンの外周に背景パターンを記録するようにしたので、階調パッチのサイズを小さくしても下地からの影響を受けにくくなる。その結果、階調補正の精度の低下を抑制できるため、長期にわたり安定した画像を提供できるようになる。また、階調パッチの小型化によって、複数のテストパターンを１枚の記録媒体上に形成できるようになるため、ユーザの負担も軽減されよう。
【００５４】
実験結果によれば、背景パターンの濃度を概ね８％以上の均一の濃度とすれば、下地からの影響を防ぎやすいことがわかった。なお、背景パターンは帯状をしているが、その幅は、たとえば、１つの階調パッチの幅以上であることが望ましい。
【００５５】
なお、複数の階調パッチは、画像形成装置が用いる複数の現像剤色のそれぞれについて用意されていることが望ましい。現像剤色ごとに異なる記録媒体に複数の階調パッチを形成してもよいが、この場合は階調補正作業が煩雑となるだろう。それゆえ、単一の記録媒体上に異なる現像剤色ごとの複数の階調パッチが設けられることが望ましいだろう。
【００５６】
上述したように単一の記録媒体上に複数のテストパターンを設けるときは、テストパターンごとに背景パターンを記録することが望ましい。複数のテストパターンを記録するには、１つあたりの階調パッチのサイズを小さくしなければならず、下地の影響を受けやすくなるからである。
【００５７】
なお、図１１Ｃに示したように、複数の階調パッチの各外周に背景パターンを記録してもよい。これは、高濃度の階調パッチの隣に低濃度の階調パッチが存在するケースで有効となろう。
【００５８】
また、図１１Ｄに示したように、複数の階調パッチのうち相対的に高濃度である１つ以上の階調パッチにのみ背景パターンを記録してもよい。上述したように、高濃度領域において下地からの影響が顕著だからである。
【００５９】
また、画像処理部１０８は、複数のテストパターンに対してそれぞれ異なる画像処理モードを適用して画像処理を実行することが好ましい。従来であれば、１つの画像処理モードについて１枚の記録媒体を用いていたため、画像処理モードの数が増えると、作業負担が重かった。そこで、一枚の記録媒体に複数の画像処理モードに対応したテストパターンを形成することで、作業負担が大幅に軽減されよう。
【００６０】
［第２実施形態］
第１の実施形態では、背景パターンの濃度は均一であることが望ましいと説明した。しかし、画像形成装置が画像処理モードを複数持っている場合、一般的には画像処理モードによって階調特性が異なる。よって、画像処理モードごとに階調補正を実行することが望ましい。
【００６１】
図１５は、画像処理モードごとの階調特性の一例を示した図である。横軸は入力信号を示し、縦軸は出力信号を示している。実線１５０１は、第１の画像処理モードについての階調特性を示している。破線１５０２は、第２の画像処理モードについての階調特性を示している。一点鎖線１５０３は、第３の画像処理モードについての階調特性を示している。
【００６２】
このように、画像処理モードごとに階調特性は異なるため、画像処理モード間で濃度が変化してしまう。画像形成装置の耐久条件や周囲環境の温度、湿度などの条件によっても画像形成装置の階調特性は変化するため、濃度が変わってしまう。これらの要因によって、背景パターンの濃度も変動してしまうと考えられる。
【００６３】
そこで、本実施形態では、背景パターンに適用される画像処理モードには常に特定の画像処理モードを使用することを提案する。すなわち、背景パターンの画像処理モードは、各テストパターンに適用される画像処理モードには依存しないようにする。
【００６４】
図１６は、複数のテストパターンと背景パターンとの一例を示す図である。第１のテストパターン１６０１には、第１の画像処理モードが適用されている。第１のテストパターン１６０１に外周に設けられた第１の背景パターン１６０３には、第２の画像処理モードが適用されている。一方、第２のテストパターン１６０２には、第２の画像処理モードが適用されている。第２のテストパターン１６０２に外周に設けられた第２の背景パターン１６０４にも、第２の画像処理モードが適用されている。つまり、ＣＰＵ３０８は、γＬＵＴ部３０５に対して、背景パターンには、常に、同一の画像処理モードを適用するよう指示することになる。
【００６５】
ちなみに、ＣＰＵ３０８は、複数ある画像処理モードのうち、経験的に最も階調特性が安定している画像処理モードを背景パターンに適用するようにしてもよい。このようにすれば、背景パターンの変動がテストパターンの読み取り結果に与える影響を低減できよう。
【００６６】
なお、背景パターンに適用される画像処理モードは、通常の画像形成に適用される画像処理モードとは異なる、専用の画像処理モードであってもよい。
【００６７】
ＣＰＵ３０８は、複数あるγＬＵＴのうち、前回の階調補正により修正されたγＬＵＴを背景パターンに適用してもよい。これは、背景パターンに適用される画像処理モードに関しても、耐久条件や環境条件が影響するからである。
【００６８】
本実施形態によれば、複数のテストパターンの各外周に記録される各背景パターンに対して同一の画像処理モードを適用して画像処理を実行する。よって、本実施形態では、第１実施形態で説明した効果に加え、背景パターンの濃度の変動がテストパターンの読み取り結果に与える影響も抑制できるようになる。よって、階調補正の精度がさらに安定するようになろう。
【００６９】
また、前回補正された画像処理モードを背景パターンに適用することで、背景パターンに適用される画像処理モードに関しても耐久条件や環境条件の影響を緩和できるようになる。
【００７０】
［第３実施形態］
テストパターンを形成する際に、特に下地部分と階調パッチとの境界部分において、濃度段差が生じることがある。濃度段差は、階調パッチの読み取り結果に影響を及ぼすため、低減されなければならない。
【００７１】
図１７は、濃度段差の一例を説明するための図である。記録媒体６には、階調パッチ１７０１が記録されている。濃度曲線１７０２は、図中のＡ−Ａ’に沿った階調パッチ１７０１の濃度を示している。図１７が示すように、階調パッチの濃度はそのすべて領域で一定とはならない。
【００７２】
この理由は次の通りである。帯電装置８によって一様に帯電された感光ドラム４上に露光装置２によって静電潜像が形成される。このときの下地部分（ベタ白部分）と階調パッチ部分（ベタ黒部分）との電位差は大きい。よって、現像装置３によって潜像が現像されると、この電位差が原因で、より多くのトナーが境界部分に現像されてしまう。こうした現象は一般にエッジ効果などと呼称されている。エッジ効果は、特に、電子写真方式を利用した画像形成装置においては顕著に見られる。
【００７３】
エッジ効果に起因した濃度段差の影響を低減するための一手法は、図７に示したように、階調パッチの面積を読み取り領域の面積よりも大きくすることであり。しかし、この手法は、パッチサイズを小型化するケースでは、採用できない。そこで、本実施形態では、複数の現像剤色を使用して（すなわち混合色により）背景パターンを記録することを提案する。
【００７４】
図１８は、背景パターンを混合色により形成した例を示した図である。この例では、イエロー（Ｙ）、マゼンタ（Ｍ）、シアン（Ｃ）、ブラック（Ｂｋ）の各色６％濃度からなる均一濃度の背景パターン１８０１をテストパターン１８０２の周囲に形成している。
【００７５】
図１９は、濃度段差の低減効果の一例を説明するための図である。濃度曲線１９０１は、階調パッチ１７０１の周囲に背景パターン１８０１を配置することで、濃度段差が低減されたことを示している。これは、背景パターン１８０１が介在したことで、下地部分と階調パッチ部分との電位差が小さくなったからである。
【００７６】
なお、混合色としたのは、濃度段差が各画像形成ステーションにおいて発生するためである。よって、各画像形成ステーションが、背景パターンの形成に寄与することで、濃度段差が軽減される。
【００７７】
本実施形態の構成によれば、第１、第２実施形態の効果に加え、濃度段差を軽減できるようになるため、階調補正の精度をさらに安定させることができる。
【図面の簡単な説明】
【００７８】
【図１】実施形態における画像形成装置１００と画像読取装置１０１との断面図である。
【図２】ガンマ補正の概念を説明するための図である。
【図３】記録媒体上に形成された一般的なテストパターンの一例を示した図である。
【図４Ａ】実施形態における複数のテストパターンを記録された１枚の記録媒体を示した図である。
【図４Ｂ】実施形態における複数のテストパターンを記録された１枚の記録媒体を示した図である。
【図４Ｃ】実施形態における複数のテストパターンを記録された１枚の記録媒体を示した図である。
【図５】パッチサイズを説明するための図である。
【図６】パッチサイズと読み取り輝度値との関係（実験結果）を示す図である。
【図７】パッチと読み取り領域との関係を示した図である。
【図８】パッチの周囲に背景パターンを記録することを示した図である。
【図９】パッチサイズと読み取り輝度値との関係（実験結果）を示す図である。
【図１０Ａ】背景パターンの濃度と輝度値のレベル差との関係（実験結果）を示した図である。
【図１０Ｂ】背景パターンの濃度と輝度値のレベル差との関係（実験結果）を示した図である。
【図１１Ａ】実施形態に係るテストパターンの一例を示した図である。
【図１１Ｂ】実施形態に係るテストパターンの一例を示した図である。
【図１１Ｃ】実施形態に係るテストパターンの一例を示した図である。
【図１１Ｄ】実施形態に係るテストパターンの一例を示した図である。
【図１２】実施形態に係る画像処理部の一例を示す図である。
【図１３】実施形態に係る階調補正方法の一例を示したフローチャートである。
【図１４】操作パネルに表示される情報の一例を示した図である。
【図１５】画像処理モードごとの階調特性の一例を示した図である。
【図１６】複数のテストパターンと背景パターンとの一例を示す図である。
【図１７】濃度段差の一例を説明するための図である。
【図１８】背景パターンを混合色により形成した例を示した図である。
【図１９】濃度段差の低減効果の一例を説明するための図である。
【図１】
2010085744.tif 000003
【図２】
2010085744.tif 000004
【図５】
2010085744.tif 000005
【図６】
2010085744.tif 000006
【図８】
2010085744.tif 000007
【図９】
2010085744.tif 000008
【図１０Ａ】
2010085744.tif 000009
【図１０Ｂ】
2010085744.tif 000010
【図１２】
2010085744.tif 000011
【図１３】
2010085744.tif 000012
【図１５】
2010085744.tif 000013
【図３】
2010085744.tif 000014
【図４Ａ】
2010085744.tif 000015
【図４Ｂ】
2010085744.tif 000016
【図４Ｃ】
2010085744.tif 000017
【図７】
2010085744.tif 000018
【図１１Ａ】
2010085744.tif 000019
【図１１Ｂ】
2010085744.tif 000020
【図１１Ｃ】
2010085744.tif 000021
【図１１Ｄ】
2010085744.tif 000022
【図１４】
2010085744.tif 000023
【図１６】
2010085744.tif 000024
【図１７】
2010085744.tif 000025
【図１８】
2010085744.tif 000026
【図１９】
2010085744.tif 000027